(57)【要約】カナルフォンシステムは、カナルフォンハウジング内に担持される高音声ドライバと、高音声ドライバに隣接してカナルフォンハウジング内に担持される低音声ドライバとを含むことができる。該システムは、カナルフォンハウジングの外部に向けられる低音声ドライバからの低音声信号の送信に合わせて、カナルフォンハウジングの外部に向けられる高音声ドライバからの高音声信号を位相補正する音響タイマーも含むことができる。
2015531215.tif 000002
【特許請求の範囲】
【請求項１】
カナルフォンハウジング内に担持される高音声ドライバと、
前記高音声ドライバに隣接して前記カナルフォンハウジング内に担持される低音声ドライバと、
前記カナルフォンハウジングの外部に向けられる前記低音声ドライバからの低音声信号の送信に合わせて、前記カナルフォンハウジングの外部に向けられる前記高音声ドライバからの高音声信号を位相補正する音響タイマーと、
を備えるシステム。
【請求項２】
前記音響タイマーが、
前記低音声ドライバから前記カナルフォンハウジング外部へ低音声信号を搬送する低音音響管と、
前記高音声ドライバから前記カナルフォンハウジング外部へ高音声信号を搬送する高音音響管と、
を含み、前記高音音響管を前記低音音響管よりも長く寸法を設定することによって、前記高音音響管が前記低音音響管に対して位相補正される請求項１のシステム。
【請求項３】
前記低音音響管が、前記低音声信号が前記低音音響管を通過する時間応答に基づき寸法を設定される請求項２のシステム。
【請求項４】
前記高音声信号の前記カナルフォンハウジングの外部への到着を遅らせるように前記高音音響管がより長いものであり、前記高音声信号の前記カナルフォンハウジングの外部への到着が、前記低音声ドライバからの前記低音声信号の前記カナルフォンハウジングの外部への到着に時間的に近づく請求項２のシステム。
【請求項５】
前記高音声信号の前記カナルフォンハウジングの外部への到着と前記低音声ドライバからの前記低音声信号の前記カナルフォンハウジングの外部への到着との差が０．０５ミリ秒未満である請求項４のシステム。
【請求項６】
前記音響タイマーが、前記低音声ドライバからの低音声信号の前記カナルフォンハウジングの外部への送信に合わせて、前記高音声ドライバから前記カナルフォンハウジングの外部への高音声信号を位相補正するプロセッサを含む請求項１のシステム。
【請求項７】
前記プロセッサが、前記高音声信号の前記カナルフォンハウジングの外部への到着を、前記低音声ドライバからの前記低音声信号の前記カナルフォンハウジングの外部への到着に時間的に近づけるように制御するデジタル信号処理を使用する請求項６のシステム。
【請求項８】
前記音響タイマーが、前記システムでその他すべての音声信号の位相を設定する制御点として、前記低音声信号が前記カナルフォンハウジングを通過する時間応答を使用する請求項７のシステム。
【請求項９】
カナルフォンハウジング内に担持される高音声ドライバと、前記高音声ドライバに隣接して前記カナルフォンハウジング内に担持される低音声ドライバとを設けることと、
前記カナルフォンハウジング外部に向けられる前記低音声ドライバからの低音声信号の送信に合わせて、前記カナルフォンハウジング外部に向けられる前記高音声ドライバからの高音声信号を位相補正することと、
を備える方法。
【請求項１０】
低音音響管を介して前記低音声ドライバからの低音声信号を前記カナルフォンハウジング外部に搬送することと、
前記低音音響管よりも長く寸法を設定することによって前記低音音響管に対して位相補正される高音音響管を介して前記高音声ドライバからの高音声信号を搬送することと、
をさらに備える請求項９の方法。
【請求項１１】
前記低音声信号が前記低音音響管を通過する時間応答に基づき、前記低音音響管の寸法を設定することをさらに備える請求項１０の方法。
【請求項１２】
前記低音音響管の寸法を音響的に適切に、かつ前記カナルフォンハウジングに容易に嵌合されるようにできるだけ短く選択することをさらに備える請求項１１の方法。
【請求項１３】
前記高音音響管をより長くすることによって、前記高音声信号の前記カナルフォンハウジング外部への到着が前記低音声ドライバからの前記低音声信号の前記カナルフォンハウジング外部への到着に時間的に近づくように、前記高音声信号の前記カナルフォンハウジング外部への到着を遅らせることをさらに備える請求項１０の方法。
【請求項１４】
前記高音声信号の前記カナルフォンハウジング外部への到着と、前記低音声ドライバからの前記低音声信号の前記カナルフォンハウジング外部への到着との差が０．０５ミリ秒未満になるように時間を調整することをさらに備える請求項１０の方法。
【請求項１５】
前記カナルフォンハウジング外部に向けられる前記低音声ドライバからの低音声信号の送信に合わせて、前記カナルフォンハウジング外部に向けられる前記高音声ドライバからの高音声信号を位相補正するデジタル信号処理を使用することをさらに備える請求項９の方法。
【請求項１６】
前記高音声信号の前記カナルフォンハウジング外部への到着と、前記低音声ドライバからの前記低音声信号の前記カナルフォンハウジング外部への到着との差が０．０５ミリ秒未満になるように時間を調整することをさらに備える請求項１５の方法。
【請求項１７】
前記システムでその他すべての音声信号の位相を設定する制御点として、前記低音声信号が前記カナルフォンハウジングを通過する時間応答を使用することをさらに備える請求項９の方法。
【請求項１８】
２つ以上の低音音響管長に基づき高音音響管長を標準化することをさらに備える請求項１０の方法。
【請求項１９】
標準化された高音音響管長と前記２つの低音音響管長のそれぞれとのアセンブリを作製して、前記カナルフォンハウジング内の設置を簡易化し、反復可能な音響特性を提供する請求項１７の方法。
【請求項２０】
前記標準化された高音音響管長の端部と前記２つの低音音響管長の端部のそれぞれとを位置合わせすることをさらに備える請求項１８の方法。
【請求項２１】
有形媒体に組み込まれるコンピュータプログラム製品であって、
前記有形媒体に接続されてカナルフォン位相補正を提供するコンピュータ可読プログラムコードを備え、前記コンピュータ可読プログラムコードは、前記プログラムが、
カナルフォンハウジング内に担持される高音声ドライバと前記高音声ドライバに隣接して前記カナルフォンハウジング内に担持される低音声ドライバとを設け、
前記低音声ドライバからの低音声信号の前記カナルフォンハウジング外部への送信に合わせて、前記高音声ドライバから前記カナルフォンハウジング外部への高音声信号を位相補正する
ように構成される、コンピュータプログラム製品。
【発明の詳細な説明】
【技術分野】
【０００１】
（関連出願の相互参照）
本願は、２０１１年１２月９日に提出された同時係属米国特許出願第１３／３１５，６１０号（庁整理番号ＪＨ０２）の一部継続出願であり、本願は２０１２年８月１５日に提出された同時係属米国仮出願第６１／６８３，６１４号号（庁整理番号ＪＨ０５（Ｐ））の権利も主張する。本願および上記の両出願は同一の発明者および所有者である。
【０００２】
実施形態は、カナルフォンおよび／または類似の聴取装置の分野に関する。
【背景技術】
【０００３】
ヘッドフォン、イヤーバッド、カナルフォンなどの様々な種類の個人用聴取装置が多数存在する。ヘッドフォンは、支持システムによって耳に隣接して保持される個人用聴取装置である。イヤーバッドは、外耳道の前に直接配置される個人用聴取装置であって、ヒトの外耳より実質的に小さい。同様に、カナルフォンもヒトの外耳より実質的に小さい個人用聴取装置であるが、外耳道の一端に直接配置される点でイヤーバッドと異なる。イヤーバッドもカナルフォンも、大半のヘッドフォンに見られる支持システムの代わりに耳と装置間の摩擦によって適所に保持される。また、カナルフォンは、聴取者の頭に係合する保持器によって適所に保持されてもよい。
【０００４】
カナルフォンは、聴取者の装着の様子から耳内モニタとも称される。言い換えると、カナルフォンハウジングはユーザの耳の上および／または周囲ではなく耳内に装着される。カナルフォンの中には、カナルフォン外部の騒音が外耳道に入るのを制限する様式のため耳栓としての役割を果たすものもある。
【発明の概要】
【０００５】
一実施形態によると、カナルフォンシステムは、カナルフォン内に担持される高周波音腔を含むことができる。該システムは、高周波音腔に隣接してカナルフォン内に担持される低周波音腔をさらに含み、両音腔は、カナルフォンに導入される前に単一ユニットを形成し、各腔はそれぞれ正確な時間および位相で音を伝えるような寸法に設定することができる。該システムはカナルフォン内に担持される高音声ドライバをさらに含み、高音声ドライバは高周波音腔を通る音を伝えることができる。該システムはカナルフォン内に担持される低音声ドライバをさらに含み、低音声ドライバは低周波音腔を通る音を伝えることができる。
【０００６】
低音声ドライバは２つの低音声ドライバを備えることができる。高音声ドライバは２つの高音声ドライバを備えることができる。
【０００７】
低周波音腔および／または高周波音腔は音響ダンパーを備えることができる。音響ダンパーはゴム製ブーツなしに配置することができる。
【０００８】
低周波音腔および／または高周波音腔は長を拡張させて各音腔の直径を低減させることができる。高周波音腔の拡張長は３ミリメートル超とすることができる。
【０００９】
単一ユニットはカナルフォンの組立を助けることができる。単一ユニットは高音声ドライバと低音声ドライバに対して３０度〜６５度傾けて配置することができる。該システムは、高音声ドライバを調整するため高音声ドライバに抵抗器を含めてもよい。
【００１０】
別の実施形態では、該システムはカナルフォン内に担持される高周波音腔も含むことができる。該システムは、高周波音腔に隣接してカナルフォン内に担持される低周波音腔をさらに含み、両音腔は、カナルフォンに導入される前に単一ユニットを形成し、各腔はそれぞれ正確な時間および位相で音を伝えるような寸法に設定され、両腔は長を拡張させて音腔の直径を低減させることができる。該システムはカナルフォン内に担持される高音声ドライバを含み、高音声ドライバは高周波音腔を通る音を伝えることができる。該システムはカナルフォン内に担持される低音声ドライバをさらに含み、低音声ドライバは低周波音腔を通る音を伝え、単一ユニットは高音声ドライバおよび低音声ドライバに対して３０度〜６５度傾けて配置することができる。
【００１１】
実施形態の別の側面は方法である。該方法はカナルフォン内に高音声ドライバを配置することを含むことができる。該方法は、高音声ドライバに隣接する低音声ドライバをカナルフォンに配置することをさらに含むことができる。該方法は、低周波音腔とそれに隣接する高周波音腔とを備える単一ユニットをカナルフォン内に配置することをさらに備えることができ、低周波音腔と高周波音腔は両腔がそれぞれ正確な時間および位相で音を伝えるような寸法で設定され、単一ユニットは高音声ドライバと低音声ドライバの両方に隣接する。
【００１２】
該方法は、低周波音腔と高周波音腔の少なくとも一方に音響ダンパーを挿入することをさらに含むことができる。該方法は、ゴム製ブーツなしに音腔に音響ダンパーを挿入することも含むことができる。該方法は、各音腔の長さを拡張することによって低周波音腔の直径と高周波音腔の直径を低減させることをさらに含むことができる。
【００１３】
別の実施形態によると、カナルフォンシステムは、カナルフォンハウジングに担持される高音声ドライバと高音声ドライバに隣接してカナルフォンハウジングに担持される低音声ドライバを含むことができる。該システムは、カナルフォンハウジング外部に向けられる低音声ドライバからの低音声信号の送信に合わせて、カナルフォンハウジング外部に向けられる高音声ドライバからの高音声信号を位相補正する音響タイマーをさらに含む。
【００１４】
音響タイマーは、低音声ドライバからの低音声信号をカナルフォンハウジング外部に搬送する低音音響管と高音声ドライバからの高音声信号をカナルフォンハウジング外部に搬送する高音音響管とをさらに含み、高音音響管は低音音響管よりも長く寸法を設定することによって低音音響管に対して位相補正される。低音音響管は、低音声信号が低音音響管を通過する時間応答に基づき寸法を設定することができる。
【００１５】
高音音響管は、高音声信号のカナルフォンハウジング外部への到着を遅らせるように延長して、高音声信号のカナルフォンハウジング外部への到着を、低音声ドライバからの低音声信号のカナルフォンハウジング外部への到着に時間的に近づけることができる。高音声信号のカナルフォンハウジング外部への到着と、低音声ドライバからの低音声信号のカナルフォンハウジング外部への到着との差は０．０５ミリ秒未満である。
【００１６】
該システムは、高音声ドライバに隣接してカナルフォンハウジング内に担持される中音声ドライバと、中音声ドライバからの中音声信号をカナルフォンハウジング外部に搬送する中音音響管とをさらに含み、中音音響管が低音音響管よりも長く、かつ高音音響管よりも短くすることによって位相補正される。音響タイマーは、低音声ドライバからの低音声信号のカナルフォンハウジング外部への送信に合わせて、高音声ドライバからカナルフォンハウジング外部への高音声信号を位相補正するプロセッサをさらに含むことができる。
【００１７】
該プロセッサは、高音声信号のカナルフォンハウジング外部への到着を低音声ドライバからの低音声信号のカナルフォンハウジング外部への到着に時間的に近づけるように制御するデジタル信号処理を使用することができる。高音声信号のカナルフォンハウジング外部への到着と、低音声ドライバからの低音声信号のカナルフォンハウジング外部への到着との差は０．０５ミリ秒未満である。
【００１８】
音響タイマーは、システム内でその他すべての音声信号の位相を設定する制御点として、低音声信号がカナルフォンハウジングを通過する時間応答を使用することができる。該システムは、高音声ドライバに隣接してカナルフォンハウジングに担持され、低音声ドライバに基づき中音声信号をカナルフォンハウジングの外部に提供する中音声ドライバも含むことができる。
【００１９】
実施形態の別の態様は別の方法である。該方法はカナルフォンハウジング内に担持される高音声ドライバと、高音声ドライバに隣接してカナルフォンハウジング内に担持される低音声ドライバとを設けることを含むことができる。該方法は、カナルフォンハウジング外部に向けられる低音声ドライバからの低音声信号の送信に合わせて、カナルフォンハウジング外部に向けられる高音声ドライバからの高音声信号を位相補正することをさらに含むことができる。
【００２０】
該方法は、低音音響管を介して低音声ドライバからの低音声信号をカナルフォンハウジング外部に搬送することと、低音音響管よりも長く寸法を設定することによって低音音響管に対して位相補正される高音音響管を介して高音声ドライバからの高音声信号をカナルフォンハウジング外部に搬送することとをさらに含むことができる。該方法は、低音声信号が低音音響管を通過する時間応答に基づき、低音音響管の寸法を設定することをさらに含むことができる。
【００２１】
該方法は、低音音響管の寸法を音響的に適切に、かつカナルフォンハウジングに容易に嵌合されるようにできるだけ短く選択することをさらに含むことができる。該方法は、高音音響管を延長することによって、高音声信号のカナルフォンハウジングの外部への到着が低音声ドライバからの低音声信号のカナルフォンハウジングの外部への到着に時間的に近づくように、高音声信号のカナルフォンハウジングの外部への到着を遅らせることをさらに含むことができる。
【００２２】
該方法は、高音声信号のカナルフォンハウジング外部への到着と、低音声ドライバからの低音声信号のカナルフォンハウジング外部への到着との差が０．０５ミリ秒未満となるように時間を調整することをさらに含むことができる。該方法は、カナルフォンハウジング外部に向けられる低音声ドライバからの低音声信号の送信に合わせて、カナルフォンハウジング外部に向けられる高音声ドライバからの高音声信号を位相補正するデジタル信号処理をさらに含むことができる。
【００２３】
該方法は、高音声信号のカナルフォンハウジング外部への到着と、低音声ドライバからの低音声信号のカナルフォンハウジング外部への到着との差が０．０５ミリ秒未満となるように時間を調整することをさらに含むことができる。該方法は、システム内でその他すべての音声信号の位相を設定する制御点として、低音声信号がカナルフォンハウジングを通過する時間応答を使用することをさらに含むことができる。
【００２４】
該方法は、２つ以上の低音音響管長に基づき高音音響管長を標準化することをさらに含むことができる。該方法は、標準化された高音音響管長と２つの低音音響管長のそれぞれとのアセンブリを作製して、カナルフォンハウジング内の設置を簡易化し、反復可能な音響特性を提供することができる。該方法は、標準化された高音音響管長の端部と２つの低音音響管長の端部のそれぞれとを位置合わせすることをさらに含むことができる。
【００２５】
別の実施形態は、有形媒体に接続されてカナルフォン位相補正を提供するコンピュータ可読プログラムコードである。コンピュータ可読プログラムコードはプログラムに、カナルフォンハウジング内に担持される高音声ドライバと高音声ドライバに隣接してカナルフォンハウジング内に担持される低音声ドライバとを設けさせるように構成することができる。該コンピュータ可読プログラムコードはプログラムに、低音声ドライバからの低音声信号のカナルフォンハウジング外部への送信に合わせて、高音声ドライバからカナルフォンハウジング外部への高音声信号を位相補正させるように構成することができる。コンピュータプログラム製品は、低音声ドライバからの低音声信号のカナルフォンハウジング外部への送信に合わせて、高音声ドライバからカナルフォンハウジング外部への高音声信号を位相補正するように構成されるプログラムコードを含むことができる。
【図面の簡単な説明】
【００２６】
【図１】実施形態に係るシステムの概略ブロック図である。
【００２７】
【図２】実施形態に係る方法態様のフローチャートである。
【００２８】
【図３】図２の方法による方法態様を示すフローチャートである。
【００２９】
【図４】図３の方法による方法態様を示すフローチャートである。
【００３０】
【図５】図２の方法による方法態様を示すフローチャートである。
【００３１】
【図６】各種実施形態に係るシステムの概略ブロック図である。
【００３２】
【図７】図６のシステムの位相補正応答の例示グラフである。
【００３３】
【図８】実施形態に係る他の方法態様を示すフローチャートである。
【００３４】
【図９】図８の方法による方法態様を示すフローチャートである。
【００３５】
【図１０】図９の方法による方法態様を示すフローチャートである。
【００３６】
【図１１】図１０の方法による方法態様を示すフローチャートである。
【００３７】
【図１２】図９の方法による方法態様を示すフローチャートである。
【００３８】
【図１３】図９の方法による方法態様を示すフローチャートである。
【００３９】
【図１４】図８の方法による方法態様を示すフローチャートである。
【００４０】
【図１５】図８の方法による方法態様を示すフローチャートである。
【００４１】
【図１６】図８の方法による方法態様を示すフローチャートである。
【００４２】
【図１７】図９の方法による方法態様を示すフローチャートである。
【００４３】
【図１８】図１６の方法による方法態様を示すフローチャートである。
【００４４】
【図１９】図１７の方法による方法態様を示すフローチャートである。
【発明を実施するための形態】
【００４５】
好適な実施形態を示す添付図面を参照して、実施形態をより詳細に以下説明する。図面全体を通じて同様の符号は同様の要素を指す。
【００４６】
図１を参照して、最初に２腔のカナルフォンシステム１０を説明する。システム１０は、当業者によって理解されるように、使用位置においてユーザ（図示せず）の耳と摩擦係合するカナルフォンハウジング１２内に担持される。
【００４７】
一実施形態では、システム１０はカナルフォン１２内に担持される高周波音腔１４を含む。システム１０は高周波音腔１４に隣接してカナルフォン１２内に担持される低周波音腔１６をさらに含み、両音腔はカナルフォンに導入される前に単一ユニット１５を形成し、各腔がそれぞれ正確な時間および位相で音１８を伝えるような寸法に設定される。
【００４８】
たとえば、低周波音腔１６と高周波音腔１４の寸法設定は、２つの音腔を通る音１８の相間的な時間および位相を正確に提供するように各音腔の直径および／または長を選択することを含む。言い換えると、低周波音腔１６と高周波音腔１４を通る音１８の正確な時間および位相が、システム１０の使用者によって音響的に認知される。
【００４９】
システム１０はカナルフォン内に担持される高音声ドライバ２０をさらに含み、高音声ドライバは高周波音腔１４を通る音１８を伝える。システム１０はカナルフォン１２内に担持される低音声ドライバ２２をさらに含み、低音声ドライバは低周波音腔を通る音１８を伝える。
【００５０】
一実施形態では、低音声ドライバ２２は２つの低音声ドライバを備える。別の実施形態では、高音声ドライバ２０は２つの高音声ドライバを備える。
【００５１】
一実施形態では、低周波音腔１６および／または高周波音腔１４は音響ダンパー２４ａおよび２４ｂを担持する。別の実施形態では、音響ダンパー２４ａおよび２４ｂはゴム製ブーツ（図示せず）なしで配置される。
【００５２】
一実施形態では、低周波音腔１６および／または高周波音腔１４は長さを拡張させて音腔の直径を低減させる。別の言い方をすると、腔の全長を拡張させることによって腔の直径を低減させても各腔の音響特性は保持される。両腔の直径を低減させる利点は、システム１０のユーザが物理的に小さな外耳道を有していてもよいことである。言い換えると、通常、小柄な人間は大柄な人間よりも小さな外耳道を有しており、システム１０は直径を低減したことで、そうした市販の他のカナルフォンシステムにはフィットしない小さな外耳道の人にも適切にフィットすることができる。別の実施形態では、高周波音腔１４の拡張長は３ミリメートル超である。
【００５３】
一実施形態では、単一ユニット１５がカナルフォンの組立を助ける。言い換えると、単一ユニット１５は一体形であるため、低周波音腔１６と高周波音腔１４を別々の部品として設置するよりも、単一ユニットをカナルフォン１２に設置する方が容易である。別の実施形態では、単一ユニット１５は、高音声ドライバ２０および低音声ドライバ２２に対して３０度〜６５度傾けて配置される。別の実施形態では、システム１０は高音声ドライバの調整のため、高音声ドライバ２０に抵抗器２６を含む。
【００５４】
別の実施形態では、システム１０はカナルフォン１２内に担持される高周波音腔１４を含む。該システムは、高周波音腔１４に隣接してカナルフォン１２内に担持される低周波音腔１６をさらに含み、両音腔は、カナルフォンに導入される前に単一ユニット１５を形成し、各腔がそれぞれ正確な時間および位相で音１８を伝えるような寸法に設定され、両腔は長さを拡張させてそれぞれの直径を低減させる。該システムはカナルフォン１２内に担持される高音声ドライバ２０をさらに含み、高音声ドライバは高周波音腔１４を通る音１８を伝える。該システムはカナルフォン２２内に担持される低音声ドライバ２２をさらに含み、低音声ドライバは低周波音腔１６を通る音１８を伝え、単一ユニット１５は高音声ドライバ１４と低音声ドライバに対して３０度〜６５度傾けて配置される。
【００５５】
実施形態の別の側面は、図２のフローチャート２８を参照して以下説明する方法である。該方法はブロック３０から開始され、ブロック３２で、カナルフォン内に高音声ドライバを配置することを含むことができる。該方法はブロック３４で、高音声ドライバに隣接する低音声ドライバをカナルフォン内に配置することをさらに含むことができる。該方法はブロック３６で、カナルフォン内に低周波音腔とそれに隣接する高周波音腔とを含む単一ユニットを配置することを含み、低周波音腔と高周波音腔は、両腔がそれぞれ正確な時間および位相で音を伝えるような寸法に設定され、単一ユニットは高音声ドライバと低音声ドライバの両方に隣接してよい。該方法はブロック３８で終了する。
【００５６】
図３のフローチャート４０を参照して以下説明する別の方法実施形態では、該方法はブロック４２から開始される。該方法はブロック３２、３４、３６で図２のステップを含むことができる。該方法はブロック４４で、低周波音腔と高周波音腔の少なくとも一方に音響ダンパーを挿入することを含むことができる。該方法はブロック４６で終了する。
【００５７】
図４のフローチャート４８を参照して以下説明する別の方法実施形態では、該方法はブロック５０から開始される。該方法はブロック３２、３４、３６、４４で図３のステップを含むことができる。該方法はブロック５２で、ゴム製ブーツなしに音腔に音響ダンパーを挿入することを含むことができる。該方法はブロック５４で終了する。
【００５８】
図５のフローチャート５６を参照して以下説明する別の方法実施形態では、該方法はブロック５８から開始される。該方法はブロック３２、３４、３６で図２のステップを含むことができる。該方法はブロック６０で、各音腔の長さを拡張することによって低周波音腔の直径と高周波音腔の直径を低減することをさらに含むことができる。該方法はブロック６２で終了する。
【００５９】
図６を参照して、位相補正カナルフォンシステム１０をさらに説明する。一実施形態では、システム１０は、使用位置においてユーザの耳（図示せず）に摩擦係合するカナルフォンハウジング１２を含む。
【００６０】
一実施形態では、システム１０はカナルフォンハウジング１２内に担持される高音声ドライバ２０と、高音声ドライバに隣接してカナルフォンハウジング１２内に担持される低音声ドライバ２２とを含む。別の実施形態では、システム１０は、カナルフォンハウジング１２の外部に向けられる低音声ドライバ２２からの低音声信号の送信に合わせてカナルフォンハウジング１２の外部に向けられる高音声ドライバ２０からの高音声信号を位相補正する音響タイマー１７ａおよび／または１７ｂも含む。
【００６１】
一実施形態では、音響タイマー１７ａは、低音声ドライバ２２からカナルフォンハウジング１２の外部へ低音声信号を搬送する低音音響管１６を含む。別の実施形態では、音響タイマー１７ａは、高音声ドライバ２０からカナルフォンハウジング１２の外部へ高音声信号を搬送する高音音響管１４をさらに含み、高音音響管を低音音響管よりも長くなるように寸法を設定することによって、高音音響管が低音音響管１６に対して位相補正される。
【００６２】
一実施形態では、低音音響管１６は、低音声信号が低音音響管を通過する時間応答に基づき寸法を設定される。別の実施形態では、高音音響管１４は、高音声信号のカナルフォンハウジング１２の外部への到着を遅らせるように延長されて、高音声信号のカナルフォンハウジング１２の外部への到着が、低音声ドライバ２２からの低音声信号のカナルフォンハウジング１２の外部への到着に時間的に近づく。
【００６３】
一実施形態では、高音声信号のカナルフォンハウジング１２の外部への到着と、低音声ドライバ２２からの低音声信号のカナルフォンハウジング１２の外部への到着との差が０．０５ミリ秒未満である。別の実施形態では、その差が０．０２ミリ秒未満である。
【００６４】
一実施形態では、システム１０は、高音声ドライバ２０に隣接してカナルフォンハウジング１２内に担持される中音声ドライバ２３と、中音声ドライバからの中音声信号をカナルフォンハウジング１２の外部に搬送する中音音響管２５とをさらに含み、中音音響管は、低音音響管１６よりも長く、かつ高音音響管１４よりも短くなるように寸法設定することによって位相補正される。
【００６５】
一実施形態では、音響タイマー１７ｂは、カナルフォンハウジング１２の外部に向けられる低音声ドライバ２２からの低音声信号の送信に合わせて、カナルフォンハウジング１２の外部に向けられる高音声ドライバ２０からの高音声信号を位相補正するプロセッサ２７を含む。別の実施形態では、プロセッサ２７は、高音声信号のカナルフォンハウジング１２の外部への到着を低音声ドライバ１６からの低音声信号のカナルフォンハウジング１２の外部への到着に近づけるように制御するデジタル信号処理を使用する。
【００６６】
一実施形態では、高音声信号のカナルフォンハウジング１２の外部への到着と、低音声ドライバ１６からの低音声信号のカナルフォンハウジング１２の外部への到着との差は０．０５ミリ秒未満である。別の実施形態では、音響タイマー１７ａと１７ｂは、システム１０内でその他すべての音声信号の位相を設定する制御点として、低音声信号がカナルフォンハウジング１２を通過する時間応答を使用する。別の実施形態では、システム１０は高音声ドライバ２０に隣接してカナルフォンハウジング１２内に担持される中音声ドライバ２３をさらに含み、中音声ドライバは低音声ドライバ２２に基づきカナルフォンハウジング１２の外部への中音声信号を提供する。
【００６７】
図７はシステム１０の位相補正応答の１例を示す。上側グラフの赤線は、下側グラフの非補正応答と比較される位相補正された応答である。
【００６８】
実施形態の別の態様は、図８のフローチャート６８を参照して以下説明する別の方法である。該方法はブロック７０から開始され、ブロック７２で、カナルフォンハウジング内に担持される高音声ドライバと、高音声ドライバに隣接してカナルフォンハウジング内に担持される低音声ドライバとを設けることを含むことができる。該方法はブロック７４で、カナルフォンハウジング１２の外部に向けられる低音声ドライバからの低音声信号の送信に合わせてカナルフォンハウジング１２の外部に向けられる高音声ドライバからの高音声信号を位相補正することをさらに含む。該方法はブロック７６で終了する。
【００６９】
図９のフローチャート７８を参照して以下説明する別の方法実施形態では、該方法はブロック８０から開始される。該方法はブロック７２と７４での図８のステップを含むことができる。該方法はブロック８２で、低音音響管を介して低音声ドライバからの低音声信号をカナルフォンハウジング外部に搬送することをさらに含むことができる。該方法はブロック８４で、低音音響管よりも長く寸法を設定することによって低音音響管に対して位相補正される高音音響管を介して高音声ドライバからの高音声信号をカナルフォンハウジング１２の外部に搬送することをさらに含むことができる。該方法はブロック８６で終了する。
【００７０】
図１０のフローチャート８８を参照して以下説明する別の方法実施形態では、該方法はブロック９０から開始される。該方法はブロック７２、７４、８２、８４で図９のステップを含むことができる。該方法はブロック９２で、低音声信号が低音音響管を通過する時間応答に基づき、低音音響管の寸法を設定することをさらに含むことができる。該方法はブロック９４で終了する。
【００７１】
図１１のフローチャート９６を参照して以下説明する別の方法実施形態では、該方法はブロック９８から開始される。該方法はブロック７２、７４、８２、８４、９２で図１０のステップを含むことができる。該方法はブロック１００で、低音音響管の寸法を音響的に適切に、かつカナルフォンハウジングに容易に嵌合されるようにできるだけ短く選択することをさらに含むことができる。該方法はブロック１０２で終了する。
【００７２】
音響的に適切とは、音響管がその長さによる歪みを増進させないことを意味する。カナルフォンハウジング１２に容易に嵌合されるようにできるだけ短くとは、カナルフォンハウジングの物理的寸法が、低音声ドライバ２２、および高音声ドライバ２０や各音響管などのその他のシステム１０の構成要素などの配置上の問題となるという事実を指す。
【００７３】
図１２のフローチャート１０４を参照して以下説明する別の方法実施形態では、該方法はブロック１０８から開始される。該方法はブロック７２、７４、８２、８４で図９のステップを含むことができる。該方法はブロック１０８で、高音音響管を延長することによって、高音声信号のカナルフォンハウジング１２の外部への到着が低音声ドライバからの低音声信号のカナルフォンハウジング１２の外部への到着に時間的に近づくように、高音声信号のカナルフォンハウジング１２の外部への到着を遅らせることをさらに含むことができる。該方法はブロック１１０で終了する。
【００７４】
図１３のフローチャート１１２を参照して以下説明する別の方法実施形態では、該方法はブロック１１４から開始される。該方法はブロック７２、７４、８２、８４で図９のステップを含むことができる。該方法はブロック１１６で、高音声信号のカナルフォンハウジング１２の外部への到着と低音声ドライバからの低音声信号のカナルフォンハウジング１２の外部への到着との差が０．０５ミリ秒未満となるように時間を調整することをさらに含むことができる。該方法はブロック１１８で終了する。
【００７５】
図１４のフローチャート１２０を参照して以下説明する別の方法実施形態では、該方法はブロック１２２から開始される。該方法はブロック７２と７４の図８のステップを含むことができる。該方法はブロック１２４で、カナルフォンハウジングの外部に向けられる低音声ドライバからの低音声信号の送信に合わせて、カナルフォンハウジングの外部に向けられる高音声ドライバからの高音声信号を位相補正するデジタル信号処理を使用することをさらに含むことができる。該方法はブロック１２６で終了する。
【００７６】
図１５のフローチャート１２８を参照して以下説明する別の方法実施形態では、該方法はブロック１３０から開始される。該方法は、ブロック７２と７４で図８のステップを含むことができる。該方法はブロック１３２で、高音声信号のカナルフォンハウジングの外部への到着と、低音声ドライバからの低音声信号のカナルフォンハウジングの外部への到着との差が０．０５ミリ秒未満となるように時間を調整することをさらに含むことができる。該方法はブロック１３４で終了する。
【００７７】
図１６のフローチャート１３６を参照して以下説明する別の方法実施形態では、該方法はブロック１３８から開始される。該方法はブロック７２と７４で図８のステップを含むことができる。該方法はブロック１４０で、システム内でその他すべての音声信号の位相を設定する制御点として、低音声信号がカナルフォンハウジングを通過する時間応答を使用することをさらに含むことができる。該方法はブロック１４２で終了する。
【００７８】
図１７のフローチャート１４４を参照して以下説明する別の方法実施形態では、該方法はブロック１４６から開始される。該方法はブロック７２、７４、８２、８４で図９のステップを含むことができる。該方法はブロック１４８で、２つ以上の低音音響管長に基づき高音音響管長を標準化することをさらに含むことができる。該方法はブロック１５０で終了する。
【００７９】
図１８のフローチャート１５２を参照して以下説明する別の方法実施形態では、該方法はブロック１５４から開始される。該方法はブロック７２、７４、１４０で図１６のステップを含むことができる。該方法はブロック１５６で、標準化された高音音響管長と２つの低音音響管長のそれぞれとのアセンブリを作製して、カナルフォンハウジング内の設置を簡易化し、反復可能な音響特性を提供することをさらに含むことができる。該方法はブロック１５８で終了する。
【００８０】
図１９のフローチャート１６０を参照して以下説明する別の方法実施形態では、該方法はブロック１６２から開始される。該方法はブロック７２、７４、８２、８４、１４８で図１７のステップを含むことができる。該方法はブロック１６４で、標準化された高音音響管長の端部と２つの低音音響管長の端部のそれぞれとを位置合わせすることをさらに含むことができる。該方法はブロック１６６で終了する。
【００８１】
実施形態の別の態様は、有形媒体に接続されてカナルフォン位相補正を提供するコンピュータ可読プログラムコードである。該コンピュータ可読プログラムコードはプログラムに、カナルフォンハウジング内に担持される高音声ドライバと高音声ドライバに隣接してカナルフォンハウジング内に担持される低音声ドライバとを設けさせるように構成することができる。コンピュータ可読プログラムコードは、低音声ドライバからの低音声信号のカナルフォンハウジングの外部への送信に合わせて、高音声ドライバからカナルフォンハウジングの外部への高音声信号を位相補正することができる。
【００８２】
該コンピュータ可読プログラムコードは、低音声ドライバからの低音声信号のカナルフォンハウジング１２の外部への送信に合わせて、高音声ドライバからカナルフォンハウジング１２の外部への高音声信号を位相補正することができる。コンピュータ可読プログラムコードは、システム内でその他すべての音声信号の位相を設定する制御点として、低音声信号がカナルフォンハウジングを通過する時間応答をさらに使用することができる。
【００８３】
カナルフォンハウジング１２は超小型であるため、先行する実施形態のいずれも実行することが極めて困難である。しかしながら、システム１０はより小さなスペースにより多くの構成要素を設けて優れた音声再生を実現するという技術的な難関を克服し、ユーザに位相補正されたカナルフォンシステムを提供する。
【００８４】
当業者によって理解されるように、複数の態様が、システム、方法、および／またはコンピュータプログラム製品として具体化することができる。したがって、実施形態は、ハードウェアのみの実施形態、ソフトウェアのみの実施形態（ファームウェア、常駐ソフトウェア、マイクロコードなど）、またはソフトウェアとハードウェアの態様を組み合わせた実施形態の形をとることができ、いずれも「回路」、「モジュール」、または「システム」と概して称されることがある。さらに、実施形態は、コンピュータ可読プログラムコードを組み込んだ一または複数のコンピュータ可読媒体において具体化されるコンピュータプログラム製品の形をとることができる。
【００８５】
一または複数のコンピュータ可読媒体の任意の組み合わせを利用してもよい。該コンピュータ可読媒体はコンピュータ可読信号媒体またはコンピュータ可読記憶媒体であってもよい。コンピュータ可読記憶媒体は限定はされないが、たとえば、電子、磁気、光、電磁、赤外、または半導体システム、装置、素子、またはこれらの適切な組み合わせであってもよい。コンピュータ可読記憶媒体のより具体的な例（非包括的リスト）は、一または複数の配線を有する電気接続、携帯コンピュータディスケット、ハードディスク、ランダムアクセスメモリ（ＲＡＭ）、読取り専用メモリ（ＲＯＭ）、消去プログラム可能読取り専用メモリ（ＥＰＲＯＭまたはフラッシュメモリ）、光ファイバ、携帯コンパクトディスク読取り専用メモリ（ＣＤ−ＲＯＭ）、光学記憶装置、磁気記憶装置、またはそれらの任意の適切な組み合わせなどである。本文書のコンテキストでは、コンピュータ可読記憶媒体は、命令実行システム、装置、または素子によって使用される、あるいは命令実行システム、装置、または素子と組み合わせて使用されるプログラムを包含または記憶することのできる任意の有形媒体であってもよい。
【００８６】
コンピュータ可読信号媒体は、たとえばベースバンド信号、または搬送波の一部にコンピュータ可読プログラムコードを組み込んだ伝播データ信号を含むことができる。このような伝播信号は限定はされないが、電磁、光、またはその他の任意の組み合わせを含む様々な形をとることができる。コンピュータ可読信号媒体は、命令実行システム、装置、または素子によって使用される、あるいは命令実行システム、装置、または素子と組み合わせて使用されるプログラムを通信、伝達、または輸送することのできる、コンピュータ可読記憶媒体以外のコンピュータ可読媒体であってもよい。
【００８７】
コンピュータ可読媒体に組み込まれるプログラムコードは、無線、有線、光ファイバケーブル、ＲＦ、またはそれらの任意の適切な組み合わせを含むがそれらに限定されない任意の適切な媒体を使用して送信することができる。
【００８８】
実施形態の態様の動作を実行するコンピュータプログラムコードは、Ｊａｖａ（登録商標）、Ｓｍａｌｌｔａｌｋ、Ｃ＋＋などのオブジェクト指向プログラミング言語や、「Ｃ」プログラミング言語または類似のプログラミング言語などの従来の手続きプログラミング言語など、一または複数のプログラミング言語の任意の組み合わせで書くことができる。該プログラムコードは、ユーザのコンピュータ上のみで、独立型ソフトウェアパッケージとして一部ユーザのコンピュータ上で、一部ユーザのコンピュータ上および一部遠隔コンピュータ上で、あるいは遠隔コンピュータまたはサーバ上のみで実行することができる。後者のシナリオの場合、遠隔コンピュータは、ローカルエリアネットワーク（ＬＡＮ）または広域ネットワーク（ＷＡＮ）などの任意の種類のネットワークを通じてユーザのコンピュータに接続することができる、あるいは（たとえばインターネットサービスプロバイダを用いてインターネットを通じて）外部コンピュータとの接続が可能である。
【００８９】
実施形態の態様を、実施形態に係る方法、装置（システム）、コンピュータプログラム製品のフローチャートおよび／またはブロック図を参照して説明する。フローチャートおよび／またはブロック図内の各ブロック、およびフローチャートおよび／またはブロック図内のブロックの組み合わせは、コンピュータプログラム命令によって実施されると理解される。これらのコンピュータプログラム命令は、汎用コンピュータ、特殊用途コンピュータ、またはマシンを構成するその他のプログラム可能データ処理装置のプロセッサに送られ、コンピュータまたはその他のプログラム可能データ処理装置のプロセッサを介して実行される命令が、フローチャートおよび／またはブロック図の単独または複数ブロックにおいて指定される機能／行為を実施する手段を生成することができる。
【００９０】
これらのコンピュータプログラム命令は、コンピュータ、その他のプログラム可能データ処理装置、または特定の方法で機能を実行するその他の装置に指示を出すコンピュータ可読媒体に記憶され、コンピュータ可読媒体に記憶される命令が、フローチャートおよび／またはブロック図の単独または複数ブロックに指定される機能／行為を実行する命令を含む製品を生成することもできる。
【００９１】
該コンピュータプログラム命令は、コンピュータ、その他のプログラム可能データ処理装置、またはその他の装置にロードして、一連の動作ステップをコンピュータ、その他のプログラム可能データ処理装置、またはその他の装置によって実行させてコンピュータ実施プロセスを生成し、コンピュータまたはその他のプログラム可能装置が実行する命令が、フローチャートおよび／またはブロック図の単独または複数ブロックに指定される機能／行為を実施するプロセスを提供することもできる。
【００９２】
図中のフローチャートとブロック図は、各種実施形態に係るシステム、方法、コンピュータプログラム製品の可能な実施態様のアーキテクチャ、機能、動作を示す。これに関し、フローチャートまたはブロック図内の各ブロックは、指定される論理機能を実施するための一または複数の実行可能な命令を備えるモジュール、セグメント、またはコードの一部を表すことができる。なお、別のいくつかの実施態様では、ブロックに記される機能は、他の図面に記される順序と異なって発生してもよい。たとえば、連続して示される２つのブロックは実際にはほぼ同時に実行されてもよく、あるいは、ブロックは含まれる機能に応じて逆の順序で実行されることもある。なお、ブロック図および／またはフローチャート内の各ブロック、およびブロック図および／またはフローチャート内のブロックの組み合わせは、指定される機能または行為を実行する特殊用途ハードウェアベースのシステム、あるいは特殊用途ハードウェアとコンピュータ命令との組み合わせによって実施することができる。
【００９３】
本文書で使用する用語は特定の実施形態のみを説明することを目的とし、限定することを意図してない。本文書で使用される「ａ」、「ａｎ」、「ｔｈｅ」などの単数形は、文脈上特段指摘しないかぎり複数を含むことを意図する。また、本明細書で使用される「ｃｏｍｐｒｉｓｅｓ」および／または「ｃｏｍｐｒｉｓｉｎｇ」という表現は、記載される特徴、整数、ステップ、動作、素子、および／または構成要素を指定するものであるが、その他の特徴、整数、ステップ、動作、素子、構成要素、および／またはそれらの組み合わせのうちの一または複数の存在または追加を排除するものではないと理解される。
【００９４】
下記請求項におけるすべてのミーンズプラスファンクションまたはステッププラスファンクション要素の対応する構造、材料、行為、等価物は、特定して請求されるその他の請求項の要素と組み合わせて機能を実行する構造、材料、または行為を含むと意図される。実施形態の記載は例示と説明を目的としており、包括的であることや、開示される実施形態に限定されることを意図していない。当業者にとっては、実施形態の範囲と精神を逸脱せずに多数の変更や変形が自明となるであろう。実施形態は、実施形態の原理と実際的な適用を最も適切に説明し、企図される特定用途にとって適切な様々な変更を含めた各種実施形態を当業者に理解させるために選択および記載したものである。
【００９５】
好適な実施形態を説明したが、当業者であれば、現在も今後も、下記の請求項の範囲に属する様々な改良や向上を加えることができると理解される。これらの請求項は、最初に説明した実施形態の適切な保護を維持するように解釈すべきである。
【図１】
2015531215.tif 000003
【図２】
2015531215.tif 000004
【図３】
2015531215.tif 000005
【図４】
2015531215.tif 000006
【図５】
2015531215.tif 000007
【図６】
2015531215.tif 000008
2015531215.tif 000009
【図８】
2015531215.tif 000010
【図９】
2015531215.tif 000011
【図１０】
2015531215.tif 000012
【図１１】
2015531215.tif 000013
【図１２】
2015531215.tif 000014
【図１３】
2015531215.tif 000015
【図１４】
2015531215.tif 000016
【図１５】
2015531215.tif 000017
【図１６】
2015531215.tif 000018
【図１７】
2015531215.tif 000019
【図１８】
2015531215.tif 000020
【図１９】
2015531215.tif 000021
【国際調査報告】
2015531215.tif 000022